(57)【特許請求の範囲】
【請求項１】
無線通信システムにおいて端末が周波数の優先順位を決める方法であって、
複数の周波数を確認することと、
前記複数の周波数のうちの特定周波数を最上位優先順位に設定することであって、前記複数の周波数のそれぞれは、対応の優先順位を有し、前記特定周波数は、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）サービスのためのものである、ことと、
前記ＭＢＭＳサービスの受信が中止したか、または前記端末が前記ＭＢＭＳサービスを提供する領域に位置していない場合に、前記特定周波数の優先順位を変更することと
を含む、優先順位を決める方法。
【請求項２】
前記特定周波数で動作するセルを選択または再選択することと、
前記特定周波数で動作するセルにキャンプ−オンして前記ＭＢＭＳサービスを受信することと
をさらに含む、請求項１に記載の優先順位を決める方法。
【請求項３】
前記端末が前記ＭＢＭＳサービスを受信しようとする場合に、前記特定周波数を最優先順位に設定する、請求項１に記載の優先順位を決める方法。
【請求項４】
前記方法は、再選択優先順位処理と関連しているものであり、
前記再選択優先順位処理は、セル再選択過程のためのものであり、ＲＲＣ（Ｒａｄｉｏ  Ｒｅｓｏｕｒｃｅ  Ｃｏｎｔｒｏｌ）休止モードの端末により行われる、請求項１に記載の優先順位を決める方法。
【請求項５】
ネットワークから、前記複数の周波数の少なくとも一つに関する優先順位情報を受信することをさらに含み、
前記優先順位情報は、システム情報または専用シグナリングを通じて受信される、請求項１に記載の優先順位を決める方法。
【請求項６】
前記専用シグナリングは、ＲＲＣ（Ｒａｄｉｏ  Ｒｅｓｏｕｒｃｅ  Ｃｏｎｔｒｏｌ）接続解除メッセージを含む、請求項５に記載の優先順位を決める方法。
【請求項７】
ネットワークから前記特定周波数に関する情報を受信することをさらに含む、請求項１に記載の優先順位を決める方法。
【請求項８】
ネットワークから前記特定周波数を通じてＭＢＭＳサービスを受信することをさらに含む、請求項１に記載の優先順位を決める方法。
【請求項９】
無線通信システムにおける端末であって、
複数の周波数を確認し、前記複数の周波数のうちの特定周波数を最上位優先順位に設定するように前記端末を制御するプロセッサを備え、
前記複数の周波数のそれぞれは、対応の優先順位を有し、
前記特定周波数は、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）サービスのためのものであり、
前記プロセッサは、前記ＭＢＭＳサービスの受信が中止したか、または前記端末が前記ＭＢＭＳサービスを提供する領域に位置していない場合に、前記特定周波数の優先順位を変更するように前記端末を制御する、端末。
【請求項１０】
前記プロセッサは、前記特定周波数で動作するセルを選択または再選択し、前記特定周波数で動作するセルにキャンプ−オンしてＭＢＭＳサービスを受信するように前記端末を制御する、請求項９に記載の端末。
【請求項１１】
前記端末は、前記ＭＢＭＳサービスを受信しようとするか否かを決定するように設定され、
前記端末が前記ＭＢＭＳサービスを受信しようとする場合に、前記プロセッサは、前記特定周波数を最優先順位に設定するように前記端末を制御する、請求項９に記載の端末。
【請求項１２】
前記複数の周波数を確認すること、及び前記特定周波数を最上位優先順位に設定することは、再選択優先順位処理と関連しており、
前記再選択優先順位処理は、ＲＲＣ（Ｒａｄｉｏ  Ｒｅｓｏｕｒｃｅ  Ｃｏｎｔｒｏｌ）休止モードの端末により行われる、請求項９に記載の端末。
【請求項１３】
前記再選択優先順位処理は、セル再選択過程のためのものである、請求項１２に記載の端末。
【請求項１４】
前記プロセッサは、ネットワークから前記複数の周波数の少なくとも一つに関する優先順位情報を受信するように前記端末を制御し、
前記優先順位情報は、システム情報または専用シグナリングを通じて受信される、請求項９に記載の端末。
【請求項１５】
前記専用シグナリングは、ＲＲＣ（Ｒａｄｉｏ  Ｒｅｓｏｕｒｃｅ  Ｃｏｎｔｒｏｌ）接続解除メッセージを含む、請求項１２に記載の端末。
【請求項１６】
前記プロセッサは、ネットワークから前記特定周波数に関する情報を受信するように前記端末を制御する、請求項９に記載の端末。
【請求項１７】
前記プロセッサは、ネットワークから前記特定周波数を通じてＭＢＭＳサービスを受信するように前記端末を制御する、請求項１６に記載の端末。
【発明の詳細な説明】
【技術分野】
【０００１】
本発明は、無線通信システムに係り、特に、無線通信システムにおいて端末がサービスを受ける方法及びそのための装置に関する。
【背景技術】
【０００２】
本発明を適用できる無線通信システムの一例として、３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ；以下、「ＬＴＥ」という。）通信システムについて概略的に説明する。
【０００３】
図１は、無線通信システムの一例としてＥ−ＵＭＴＳネットワーク構造を概略的に示す図である。Ｅ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、既存のＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）から進展したシステムであり、現在３ＧＰＰで基礎的な標準化作業が進行中である。一般に、Ｅ−ＵＭＴＳをＬＴＥ（Ｌｏｎｇ  Ｔｅｒｍ  Ｅｖｏｌｕｔｉｏｎ）システムと呼ぶこともできる。ＵＭＴＳ及びＥ−ＵＭＴＳの技術規格（ｔｅｃｈｎｉｃａｌ  ｓｐｅｃｉｆｉｃａｔｉｏｎ）の詳細な内容はそれぞれ、「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ」のＲｅｌｅａｓｅ  ７及びＲｅｌｅａｓｅ  ８を参照すればよい。
【０００４】
図１を参照すると、Ｅ−ＵＭＴＳは、端末（Ｕｓｅｒ  Ｅｑｕｉｐｍｅｎｔ；ＵＥ）、基地局（ｅＮｏｄｅＢ；ｅＮＢ）、及びネットワーク（Ｅ−ＵＴＲＡＮ）の終端に位置して外部ネットワークに接続するアクセスゲートウェイ（Ａｃｃｅｓｓ  Ｇａｔｅｗａｙ；ＡＧ）を含む。基地局は、ブロードキャストサービス、マルチキャストサービス及び／またはユニキャストサービスのために多重データストリームを同時に伝送することができる。
【０００５】
一つの基地局には一つ以上のセルが存在する。セルは、１．２５、２．５、５、１０、１５、２０ＭＨｚなどの帯域幅のいずれか一つに設定されて、複数の端末に下りまたは上り伝送サービスを提供する。異なるセルは、互いに異なる帯域幅を提供するように設定されればよい。基地局は、複数の端末に関するデータ送受信を制御する。ダウンリンク（Ｄｏｗｎｌｉｎｋ；ＤＬ）データについて、基地局はダウンリンクスケジューリング情報を送信し、該当の端末にデータが送信される時間／周波数領域、符号化、データサイズ、ＨＡＲＱ（Ｈｙｂｒｉｄ  Ａｕｔｏｍａｔｉｃ  Ｒｅｐｅａｔ  ａｎｄ  ｒｅＱｕｅｓｔ）関連情報などを知らせる。また、アップリンクリンク（Ｕｐｌｉｎｋ；ＵＬ）データについて、基地局はアップリンクリンクスケジューリング情報を該当の端末に送信して、該当の端末が使用可能な時間／周波数領域、符号化、データサイズ、ＨＡＲＱ関連情報などを知らせる。基地局同士の間には、ユーザートラフィックまたは制御トラフィックの伝送のためのインターフェースを用いることができる。コアネットワーク（Ｃｏｒｅ  Ｎｅｔｗｏｒｋ；ＣＮ）は、ＡＧ、及び端末のユーザー登録などのためのネットワークノードなどで構成することができる。ＡＧは、複数のセルで構成されるＴＡ（Ｔｒａｃｋｉｎｇ  Ａｒｅａ）単位に端末の移動性を管理する。
【０００６】
無線通信技術は、ＷＣＤＭＡに基づいてＬＴＥにまで開発されてきたが、ユーザと事業者の要求と期待は増す一方である。その上、他の無線接続技術の開発が続いてきており、将来、競争力を持つためには新しい技術進化が要求される。ビット当たりのコストの削減、サービス可用性の増大、柔軟な周波数バンドの使用、単純構造と開放型インターフェース、端末の適度なパワー消耗などが要求される。
【発明の概要】
【発明が解決しようとする課題】
【０００７】
上記の点に鑑みて、以下では、無線通信システムにおいて端末がサービスを受ける方法及びそのための装置を提案する。
【課題を解決するための手段】
【０００８】
本発明の一様相である、無線通信システムにおいて端末が周波数の優先順位を決める方法は、複数の周波数を確認することと、前記複数の周波数のうちの特定周波数を最上位優先順位に設定することと、を含み、前記複数の周波数のそれぞれは、対応の優先順位を有し、前記特定周波数は、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）サービスのためのものであることを特徴とする。
【０００９】
好適には、前記方法は、再選択優先順位処理と関連していることを特徴とする。より好適には、前記再選択優先順位処理は、セル再選択過程のためのものであることを特徴とする。特に、前記再選択優先順位処理は、ＲＲＣ（ｒａｄｉｏ  ｒｅｓｏｕｒｃｅ  ｃｏｎｔｒｏｌ）休止モード（ｉｄｌｅ  ｍｏｄｅ）の端末により行われることを特徴とする。
【００１０】
また、前記方法は、ネットワークから前記複数の周波数の少なくとも一つに関する優先順位情報を受信することをさらに含むことができる。ここで、前記優先順位情報は、システム情報または専用シグナリングを通じて受信されることを特徴とし、前記専用シグナリングは、ＲＲＣ（Ｒａｄｉｏ  Ｒｅｓｏｕｒｃｅ  Ｃｏｎｔｒｏｌ）接続解除（ｃｏｎｎｅｃｔｉｏｎ  ｒｅｌｅａｓｅ）メッセージを含むことを特徴とする。
【００１１】
また、前記方法は、ネットワークから前記特定周波数に関する情報を受信するステップをさらに含んでもよく、ネットワークから前記特定周波数を通じてＭＢＭＳサービスを受信するステップをさらに含んでもよい。
【００１２】
好適には、前記方法は、前記ＭＢＭＳサービスの受信が中止したか、または前記端末が前記ＭＢＭＳサービスを提供する領域に位置していない場合に、前記特定周波数の優先順位を変更することをさらに含むことを特徴とする。
【００１３】
本発明の他の様相である、無線通信システムにおける端末は、複数の周波数を確認し、前記複数の周波数のうちの特定周波数を最上位優先順位に設定するように前記端末を制御するプロセッサを備え、前記複数の周波数のそれぞれは、対応の優先順位を有し、前記特定周波数は、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）サービスのためのものであることを特徴とする。
【００１４】
好適には、前記複数の周波数を確認すること、及び前記特定周波数を最上位優先順位に設定することは、再選択優先順位処理と関連していることを特徴とする。より好適には、前記再選択優先順位処理は、セル再選択過程のためのものであることを特徴とする。特に、前記再選択優先順位処理は、ＲＲＣ（ｒａｄｉｏ  ｒｅｓｏｕｒｃｅ  ｃｏｎｔｒｏｌ）休止モード（ｉｄｌｅ  ｍｏｄｅ）の端末により行われることを特徴とする。
【００１５】
また、前記プロセッサは、ネットワークから前記複数の周波数の少なくとも一つに関する優先順位情報を受信するように前記端末を制御することを特徴とする。ここで、前記優先順位情報は、システム情報または専用シグナリングを通じて受信され、前記専用シグナリングは、ＲＲＣ（Ｒａｄｉｏ  Ｒｅｓｏｕｒｃｅ  Ｃｏｎｔｒｏｌ）接続解除（ｃｏｎｎｅｃｔｉｏｎ  ｒｅｌｅａｓｅ）メッセージを含むことを特徴とする。
【００１６】
また、前記プロセッサは、ネットワークから前記特定周波数に関する情報を受信するように前記端末を制御してもよく、ネットワークから前記特定周波数を通じてＭＢＭＳサービスを受信するように前記端末を制御してもよい。
【００１７】  好適には、前記プロセッサは、前記ＭＢＭＳサービスの受信が中止したか、または前記端末が前記ＭＢＭＳサービスを提供する領域に位置していない場合に、前記特定周波数の優先順位を変更するように前記端末を制御することを特徴とする。例えば、本願発明は以下の項目を提供する。（項目１）  無線通信システムにおいて端末が周波数の優先順位を決める方法であって、  複数の周波数を確認することと、  前記複数の周波数のうちの特定周波数を最上位優先順位に設定することと、を含み、  前記複数の周波数のそれぞれは、対応の優先順位を有し、  前記特定周波数は、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）サービスのためのものであることを特徴とする、優先順位を決める方法。（項目２）  前記方法は、再選択優先順位処理と関連していることを特徴とする、項目１に記載の優先順位を決める方法。（項目３）  前記再選択優先順位処理は、セル再選択過程のためのものであることを特徴とする、項目２に記載の優先順位を決める方法。（項目４）  ネットワークから、前記複数の周波数の少なくとも一つに関する優先順位情報を受信することをさらに含むことを特徴とする、項目１に記載の優先順位を決める方法。（項目５）  前記優先順位情報はシステム情報または専用シグナリングを通じて受信されることを特徴とする、項目４に記載の優先順位を決める方法。（項目６）  前記専用シグナリングは、ＲＲＣ（Ｒａｄｉｏ  Ｒｅｓｏｕｒｃｅ  Ｃｏｎｔｒｏｌ）接続解除（ｃｏｎｎｅｃｔｉｏｎ  ｒｅｌｅａｓｅ）メッセージを含むことを特徴とする、項目５に記載の優先順位を決める方法。（項目７）  ネットワークから前記特定周波数に関する情報を受信することをさらに含むことを特徴とする、項目１に記載の優先順位を決める方法。（項目８）  ネットワークから前記特定周波数を通じてＭＢＭＳサービスを受信することをさらに含むことを特徴とする、項目１に記載の優先順位を決める方法。（項目９）  前記ＭＢＭＳサービスの受信が中止したか、または前記端末が前記ＭＢＭＳサービスを提供する領域に位置していない場合に、前記特定周波数の優先順位を変更することをさらに含むことを特徴とする、項目１に記載の優先順位を決める方法。（項目１０）  前記再選択優先順位処理は、ＲＲＣ（ｒａｄｉｏ  ｒｅｓｏｕｒｃｅ  ｃｏｎｔｒｏｌ）休止モード（ｉｄｌｅ  ｍｏｄｅ）の端末により行われることを特徴とする、項目２に記載の優先順位を決める方法。（項目１１）  無線通信システムにおける端末であって、  複数の周波数を確認し、前記複数の周波数のうちの特定周波数を最上位優先順位に設定するように前記端末を制御するプロセッサを備え、  前記複数の周波数のそれぞれは、対応の優先順位を有し、  前記特定周波数は、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）サービスのためのものであることを特徴とする、端末。（項目１２）  前記複数の周波数を確認すること、及び前記特定周波数を最上位優先順位に設定することは、再選択優先順位処理と関連していることを特徴とする、項目１１に記載の端末。（項目１３）  前記再選択優先順位処理は、セル再選択過程のためのものであることを特徴とする、項目１２に記載の端末。（項目１４）  前記プロセッサは、ネットワークから前記複数の周波数の少なくとも一つに関する優先順位情報を受信するように前記端末を制御することを特徴とする、項目１１に記載の端末。（項目１５）  前記優先順位情報は、システム情報または専用シグナリングを通じて受信されることを特徴とする、項目１４に記載の端末。（項目１６）  前記専用シグナリングは、ＲＲＣ（Ｒａｄｉｏ  Ｒｅｓｏｕｒｃｅ  Ｃｏｎｔｒｏｌ）接続解除（ｃｏｎｎｅｃｔｉｏｎ  ｒｅｌｅａｓｅ）メッセージを含むことを特徴とする、項目１５に記載の端末。（項目１７）  前記プロセッサは、ネットワークから前記特定周波数に関する情報を受信するように前記端末を制御することを特徴とする、項目１１に記載の端末。（項目１８）  前記プロセッサは、ネットワークから前記特定周波数を通じてＭＢＭＳサービスを受信するように前記端末を制御することを特徴とする、項目１１に記載の端末。（項目１９）  前記プロセッサは、  前記ＭＢＭＳサービスの受信が中止したか、または前記端末が前記ＭＢＭＳサービスを提供する領域に位置していない場合に、前記特定周波数の優先順位を変更するように前記端末を制御することを特徴とする、項目１１に記載の端末。（項目２０）  前記再選択優先順位処理は、ＲＲＣ（ｒａｄｉｏ  ｒｅｓｏｕｒｃｅ  ｃｏｎｔｒｏｌ）休止モード（ｉｄｌｅ  ｍｏｄｅ）の端末により行われることを特徴とする、項目１２に記載の端末。
【発明の効果】
【００１８】
本発明の実施例によれば、基地局が端末に効果的なＭＢＭＳを提供することができる。
【００１９】
本発明で得られる効果は、以上に言及した効果に制限されず、言及していない別の効果は、下の記載から、本発明の属する技術の分野における通常の知識を有する者には明確に理解されるであろう。
【図面の簡単な説明】
【００２０】
【図１】無線通信システムの一例としてＥ−ＵＭＴＳネットワーク構造を概略的に示す図である。
【図２】Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）のネットワーク構造を概念的に示す図である。
【図３】３ＧＰＰ無線接続網規格に基づく端末とＥ−ＵＴＲＡＮとの間の無線インターフェースプロトコル（Ｒａｄｉｏ  Ｉｎｔｅｒｆａｃｅ  Ｐｒｏｔｏｃｏｌ）の制御プレーン（Ｃｏｎｔｒｏｌ  Ｐｌａｎｅ）及びユーザープレーン（Ｕｓｅｒ  Ｐｌａｎｅ）の構造を示す図である。
【図４】３ＧＰＰシステムに用いられる物理チャネル及びこれらのチャネルを用いた一般的な信号伝送方法を説明するための図である。
【図５】ＬＴＥシステムで用いられる無線フレームの構造を例示する図である。
【図６】ページングメッセージを用いた一般的な送受信方法を説明するための図である。
【図７】ＭＣＣＨ（ＭＢＭＳ  Ｃｏｎｔｒｏｌ  ＣＨａｎｎｅｌ）情報の伝送方式を示す図である。
【図８】本発明の第１の実施例に係るセル再選択過程を示すフローチャートである。
【図９】本発明の第１の実施例に係る他のセル再選択過程を示すフローチャートである。
【図１０】本発明の第２の実施例に係るセル再選択過程を示すフローチャートである。
【図１１】本発明の第２の実施例に係る他のセル再選択過程を示すフローチャートである。
【図１２】本発明の一実施例に係る通信装置の構成を示すブロック図である。
【発明を実施するための形態】
【００２１】
以下に添付の図面を参照して説明された本発明の実施例から、本発明の構成、作用及び他の特徴が容易に理解されるであろう。以下に説明される実施例は、本発明の技術的特徴が３ＧＰＰシステムに適用された例である。
【００２２】
本明細書ではＬＴＥシステム及びＬＴＥ‐Ａシステムを用いて本発明の実施例を説明するが、これは例示に過ぎなず、本発明の実施例は、上述した定義に該当するいかなる通信システムにも適用可能である。また、本明細書は、ＦＤＤ方式を基準にして本発明の実施例について説明するが、これは例示に過ぎず、本発明の実施例は、Ｈ‐ＦＤＤ方式またはＴＤＤ方式にも容易に変形されて適用されてもよい。
【００２３】
図２は、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）のネットワーク構造を概念的に示す図である。特に、Ｅ−ＵＴＲＡＮシステムは、既存のＵＴＲＡＮシステムから進展したシステムである。Ｅ−ＵＴＲＡＮは、セル（ｅＮＢ）で構成され、セル同士はＸ２インターフェースを介して接続される。セルは、無線インターフェースを介して端末と接続され、Ｓ１インターフェースを介してＥＰＣ（Ｅｖｏｌｖｅｄ  Ｐａｃｋｅｔ  Ｃｏｒｅ）に接続される。
【００２４】
ＥＰＣは、ＭＭＥ（Ｍｏｂｉｌｉｔｙ  Ｍａｎａｇｅｍｅｎｔ  Ｅｎｔｉｔｙ）、Ｓ−ＧＷ（Ｓｅｒｖｉｎｇ−Ｇａｔｅｗａｙ）、及びＰＤＮ−ＧＷ（Ｐａｃｋｅｔ  Ｄａｔａ  Ｎｅｔｗｏｒｋ−Ｇａｔｅｗａｙ）で構成される。ＭＭＥは、端末の接続情報や端末の能力に関する情報を有しており、これらの情報は端末の移動性管理に主に用いられる。Ｓ−ＧＷは、Ｅ−ＵＴＲＡＮを終端点として有するゲートウェイであり、ＰＤＮ−ＧＷは、ＰＤＮ（Ｐａｃｋｅｔ  Ｄａｔａ  Ｎｅｔｗｏｒｋ）を終端点として有するゲートウェイである。
【００２５】
図３は、３ＧＰＰ無線接続網規格に基づく端末とＥ‐ＵＴＲＡＮとの間の無線インターフェースプロトコル（Ｒａｄｉｏ  Ｉｎｔｅｒｆａｃｅ  Ｐｒｏｔｏｃｏｌ）の制御プレーン及びユーザプレーンの構造を示す図である。制御プレーンとは、端末（ＵＥ）とネットワークとが呼を管理するために用いる制御メッセージが伝送される通路のことを意味する。ユーザプレーンとは、アプリケーション層で生成されたデータ、例えば、音声データまたはインターネットパケットデータなどが伝送される通路のことを意味する。
【００２６】
第１層である物理層は、物理チャネル（Ｐｈｙｓｉｃａｌ  Ｃｈａｎｎｅｌ）を用いて上位層に情報伝送サービス（Ｉｎｆｏｒｍａｔｉｏｎ  Ｔｒａｎｓｆｅｒ  Ｓｅｒｖｉｃｅ）を提供する。物理層は、上位の媒体接続制御（Ｍｅｄｉｕｍ  Ａｃｃｅｓｓ  Ｃｏｎｔｒｏｌ）層とは伝送チャネル（Ｔｒａｎｓｐｏｒｔ  Ｃｈａｎｎｅｌ）を介して接続されている。該伝送チャネルを通じて媒体接続制御層と物理層との間にデータが移動する。送信側の物理層と受信側の物理層との間には物理チャネルを通じてデータが移動する。該物理チャネルは、時間及び周波数を無線リソースとして活用する。具体的に、物理チャネルは、ダウンリンクにおいてＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式で変調され、アップリンクにおいてＳＣ‐ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式で変調される。
【００２７】
第２層の媒体接続制御（Ｍｅｄｉｕｍ  Ａｃｃｅｓｓ  Ｃｏｎｔｒｏｌ；ＭＡＣ）層は、論理チャネル（Ｌｏｇｉｃａｌ  Ｃｈａｎｎｅｌ）を通じて、上位層である無線リンク制御（Ｒａｄｉｏ  Ｌｉｎｋ  Ｃｏｎｔｒｏｌ；ＲＬＣ）層にサービスを提供する。第２層のＲＬＣ層は、信頼できるデータ伝送を支援する。ＲＬＣ層の機能は、ＭＡＣ内部の機能ブロックで具現されてもよい。第２層のＰＤＣＰ（Ｐａｃｋｅｔ  Ｄａｔａ  Ｃｏｎｖｅｒｇｅｎｃｅ  Ｐｒｏｔｏｃｏｌ）層は、帯域幅の狭い無線インターフェースでＩＰｖ４やＩＰｖ６のようなＩＰパケットを效率的に伝送するために、余分の制御情報を減らすヘッダー圧縮（Ｈｅａｄｅｒ  Ｃｏｍｐｒｅｓｓｉｏｎ）機能を果たす。
【００２８】
第３層の最下部に位置する無線リソース制御（Ｒａｄｉｏ  Ｒｅｓｏｕｒｃｅ  Ｃｏｎｔｒｏｌ；ＲＲＣ）層は、制御プレーンにのみ定義される。ＲＲＣ層は、無線ベアラー（Ｒａｄｉｏ  Ｂｅａｒｅｒ）の設定（Ｃｏｎｆｉｇｕｒａｔｉｏｎ）、再設定（Ｒｅ‐ｃｏｎｆｉｇｕｒａｔｉｏｎ）及び解除（Ｒｅｌｅａｓｅ）に関連して、論理チャネル、伝送チャネル及び物理チャネルの制御を担当する。無線ベアラーとは、端末とネットワークとの間のデータ伝達のために第２層により提供されるサービスのことを意味する。そのために、端末のＲＲＣ層とネットワークのＲＲＣ層とはＲＲＣメッセージを互いに交換する。
【００２９】
基地局（ｅＮＢ）を構成する一つのセルは、１．２５、２．５、５、１０、１５、２０ＭＨｚなどの帯域幅のいずれか一つに設定されて、複数の端末に下りまたは上り伝送サービスを提供する。異なるセルは、互いに異なる帯域幅を提供するように設定されればよい。
【００３０】
ネットワークから端末にデータを伝送する下り伝送チャネルは、システム情報を伝送するＢＣＨ（Ｂｒｏａｄｃａｓｔ  Ｃｈａｎｎｅｌ）、ページングメッセージを伝送するＰＣＨ（Ｐａｇｉｎｇ  Ｃｈａｎｎｅｌ）、ユーザトラフィックや制御メッセージを伝送する下りＳＣＨ（Ｓｈａｒｅｄ  Ｃｈａｎｎｅｌ）などがある。下りマルチキャストまたは放送サービスのトラフィックまたは制御メッセージは、下りＳＣＨを通じて伝送されてもよく、別の下りＭＣＨ（Ｍｕｌｔｉｃａｓｔ  Ｃｈａｎｎｅｌ）を通じて伝送されてもよい。
【００３１】
一方、端末からネットワークにデータを伝送する上り伝送チャネルには、初期制御メッセージを伝送するＲＡＣＨ（Ｒａｎｄｏｍ  Ａｃｃｅｓｓ  Ｃｈａｎｎｅｌ）、ユーザトラフィックや制御メッセージを伝送する上りＳＣＨ（Ｓｈａｒｅｄ  Ｃｈａｎｎｅｌ）がある。伝送チャネルの上位に存在し、伝送チャネルにマッピングされる論理チャネル（Ｌｏｇｉｃａｌ  Ｃｈａｎｎｅｌ）には、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００３２】
図４は、３ＧＰＰシステムに用いられる物理チャネル及びこれらのチャネルを用いた一般的な信号伝送方法を説明するための図である。
【００３３】
端末は、電源が入ったり、新しくセルに進入したりした場合に、基地局と同期を取る等の初期セル探索（Ｉｎｉｔｉａｌ  ｃｅｌｌ  ｓｅａｒｃｈ）作業を行う（Ｓ４０１）。そのために、端末は、基地局からプライマリ同期チャネル（Ｐｒｉｍａｒｙ  Ｓｙｎｃｈｒｏｎｉｚａｔｉｏｎ  Ｃｈａｎｎｅｌ；Ｐ‐ＳＣＨ）及びセカンダリ同期チャネル（Ｓｅｃｏｎｄａｒｙ  Ｓｙｎｃｈｒｏｎｉｚａｔｉｏｎ  Ｃｈａｎｎｅｌ；Ｓ‐ＳＣＨ）を受信して基地局と同期を合わせ、セルＩＤなどの情報を獲得することができる。その後、端末は、基地局から物理放送チャネル（Ｐｈｙｓｉｃａｌ  Ｂｒｏａｄｃａｓｔ  Ｃｈａｎｎｅｌ）を受信し、セル内放送情報を獲得することができる。一方、端末は、初期セル探索段階で、ダウンリンク参照信号（Ｄｏｗｎｌｉｎｋ  Ｒｅｆｅｒｅｎｃｅ  Ｓｉｇｎａｌ；ＤＬＲＳ）を受信して、ダウンリンクチャネル状態を確認することができる。
【００３４】
初期セル探索を終えた端末は、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ；ＰＤＣＣＨ）、及び該ＰＤＣＣＨに載せられた情報に基づいて物理ダウンリンク共有チャネル（Ｐｈｙｓｉｃａｌ  Ｄｏｗｎｌｉｎｋ  Ｃｏｎｔｒｏｌ  Ｃｈａｎｎｅｌ；ＰＤＳＣＨ）を受信することによって、より具体的なシステム情報を獲得することができる（Ｓ４０２）。
【００３５】
一方、基地局に最初に接続したり信号伝送のための無線リソースがない場合には、端末は、基地局にランダムアクセス手順（Ｒａｎｄｏｍ  Ａｃｃｅｓｓ  Ｐｒｏｃｅｄｕｒｅ；ＲＡＣＨ）を行うことができる（ＳＳ４０３乃至Ｓ４０６）。そのために、端末は、物理ランダムアクセスチャネル（Ｐｈｙｓｉｃａｌ  Ｒａｎｄｏｍ  Ａｃｃｅｓｓ  Ｃｈａｎｎｅｌ；ＰＲＡＣＨ）を通じて特定シーケンスをプリアンブルとして伝送し（Ｓ４０３及びＳ４０５）、ＰＤＣＣＨ及び対応するＰＤＳＣＨを通じて、プリアンブルに対する応答メッセージを受信することができる（Ｓ４０４及びＳ４０６）。競合ベースのＲＡＣＨについては、衝突解決手順（Ｃｏｎｔｅｎｔｉｏｎ  Ｒｅｓｏｌｕｔｉｏｎ  Ｐｒｏｃｅｄｕｒｅ）をさらに行うことができる。
【００３６】
上述の手順を行った端末は、以降、一般的なアップリンク／ダウンリンク信号伝送手順として、ＰＤＣＣＨ／ＰＤＳＣＨ受信（Ｓ４０７）、及び物理アップリンク共有チャネル（Ｐｈｙｓｉｃａｌ  Ｕｐｌｉｎｋ  Ｓｈａｒｅｄ  Ｃｈａｎｎｅｌ；ＰＵＳＣＨ）／物理アップリンク制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）伝送（Ｓ４０８）を行うことができる。特に、端末はＰＤＣＣＨを通じてダウンリンク制御情報（Ｄｏｗｎｌｉｎｋ  Ｃｏｎｔｒｏｌ  Ｉｎｆｏｒｍａｔｉｏｎ；ＤＣＩ）を受信する。ここで、ＤＣＩは、端末に対するリソース割当情報のような制御情報を含んでおり、その使用目的によってフォーマットが異なっている。
【００３７】
一方、端末がアップリンクを通じて基地局に伝送するまたは端末が基地局から受信する制御情報は、ダウンリンク／アップリンクＡＣＫ／ＮＡＣＫ信号、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｅｘ）、ＲＩ（Ｒａｎｋ  Ｉｎｄｉｃａｔｏｒ）などを含む。３ＧＰＰ  ＬＴＥシステムでは、端末は、これらのＣＱＩ／ＰＭＩ／ＲＩなどの制御情報をＰＵＳＣＨ及び／またはＰＵＣＣＨを通じて伝送することができる。
【００３８】
図５は、ＬＴＥシステムで用いられる無線フレームの構造を例示する図である。
【００３９】
図５を参照すると、無線フレーム（ｒａｄｉｏ  ｆｒａｍｅ）は、１０ｍｓ（３２７２００・Ｔｓ）の長さを有し、１０個の均等なサイズのサブフレーム（ｓｕｂｆｒａｍｅ）で構成されている。それぞれのサブフレームは、１ｍｓの長さを有し、２個のスロット（ｓｌｏｔ）で構成されている。各スロットは、０．５ｍｓ（１５３６０・Ｔｓ）の長さを有する。ここで、Ｔｓは、サンプリング時間を表し、Ｔｓ＝１／（１５ｋＨｚ×２０４８）＝３．２５５２×１０−８（約３３ｎｓ）で表示される。スロットは、時間領域において複数のＯＦＤＭシンボルを含み、周波数領域において複数のリソースブロック（Ｒｅｓｏｕｒｃｅ  Ｂｌｏｃｋ；ＲＢ）を含む。ＬＴＥシステムにおいて、１リソースブロックは、１２個の副搬送波×７（６）個のＯＦＤＭシンボルを含む。データが伝送される単位時間であるＴＴＩ（Ｔｒａｎｓｍｉｓｓｉｏｎ  Ｔｉｍｅ  Ｉｎｔｅｒｖａｌ）は、一つ以上のサブフレーム単位に定めることができる。上記の無線フレームの構造は例示に過ぎず、無線フレームに含まれるサブフレームの数またはサブフレームに含まれるスロットの数、スロットに含まれるＯＦＤＭシンボル数は様々に変更可能である。
【００４０】
以下、端末のＲＲＣ状態とＲＲＣ接続方法について説明する。
【００４１】
ＲＲＣ状態とは、端末のＲＲＣがＥ−ＵＴＲＡＮのＲＲＣと論理的接続（ｌｏｇｉｃａｌ  ｃｏｎｎｅｃｔｉｏｎ）されているか否かを指し、接続されている場合をＲＲＣ接続状態（ＲＲＣ＿ＣＯＮＮＥＣＴＥＤ）、接続されていない場合をＲＲＣ休止状態（ＲＲＣ＿ＩＤＬＥ）と呼ぶ。
【００４２】
Ｅ−ＵＴＲＡＮは、ＲＲＣ接続状態の端末の存在をセル単位に把握できるため、端末を效果的に制御することができる。しかし、Ｅ−ＵＴＲＡＮは、ＲＲＣ休止状態の端末をセル単位に把握することはできず、セルよりも大きい地域単位であるＴＡ単位にＣＮが管理する。すなわち、ＲＲＣ休止状態の端末がセルから音声やデータのようなサービスを受けるためにはＲＲＣ接続状態に状態遷移しなければならない。
【００４３】
特に、ユーザーが端末の電源を初めてつけると、端末は、まず、適切なセルを探索した後、当該セルにＲＲＣ休止状態で留まる。ＲＲＣ休止状態で留まっていた端末は、ＲＲＣ接続が必要になった場合にはじめて、Ｅ−ＵＴＲＡＮのＲＲＣとＲＲＣ接続確立（ＲＲＣ  ｃｏｎｎｅｃｔｉｏｎ  ｅｓｔａｂｌｉｓｈｍｅｎｔ）手順を行ってＲＲＣ接続状態に遷移する。ここでいう「ＲＲＣ接続が必要になった場合」としては、ユーザーが通話などを試みることから上りデータ送信が必要になった場合や、Ｅ−ＵＴＲＡＮからページングメッセージを受信し、それに対する応答メッセージを送信しなければならない場合などがある。
【００４４】
図６は、ページングメッセージを用いた一般的な送受信方法を説明するための図である。
【００４５】
図６を参照すると、ページングメッセージは、ページング理由（Ｐａｇｉｎｇ  Ｃａｕｓｅ）と端末識別子（ＵＥ  Ｉｄｅｎｔｉｔｙ）などで構成されたページング記録（Ｐａｇｉｎｇ  ｒｅｃｏｒｄ）を含む。該ページングメッセージを受信するとき、端末は、電力消費低減を目的に不連続受信（Ｄｉｓｃｏｎｔｉｎｕｏｕｓ  Ｒｅｃｅｐｔｉｏｎ；ＤＲＸ）を行うことができる。
【００４６】
具体的に、ネットワークは、ページング周期（Ｐａｇｉｎｇ  ＤＲＸ  Ｃｙｃｌｅ）と呼ばれる時間周期ごとに複数個のページング機会時間（Ｐａｇｉｎｇ  Ｏｃｃａｓｉｏｎ；ＰＯ）を構成し、特定端末は、特定ページング機会時間のみを受信してページングメッセージを獲得できるようにする。該端末は、特定ページング機会時間以外の時間にはページングチャネルを受信せず、電力消費を低減するために睡眠状態にあってもよい。一つのページング機会時間は、一つのＴＴＩに相当する。
【００４７】
基地局と端末はページングメッセージの送信を知らせる特定値としてページング指示子（Ｐａｇｉｎｇ  Ｉｎｄｉｃａｔｏｒ；ＰＩ）を使用する。基地局は、ＰＩの用途として特定識別子（例、Ｐａｇｉｎｇ−Ｒａｄｉｏ  Ｎｅｔｗｏｒｋ  Ｔｅｍｐｏｒａｒｙ  Ｉｄｅｎｔｉｔｙ；Ｐ−ＲＮＴＩ）を定義して、端末にページング情報送信を知らせることができる。一例として、端末は、ＤＲＸ周期ごとに目覚めて、ページングメッセージが出現したか否か知るために一つのサブフレームを受信する。端末は、受信したサブフレームのＬ１／Ｌ２制御チャネル（ＰＤＣＣＨ）にＰ−ＲＮＴＩがあると、当該サブフレームのＰＤＳＣＨにページングメッセージがあるということがわかる。また、ページングメッセージに自身の端末識別子（例、ＩＭＳＩ）があると、端末は基地局に応答（例えば、ＲＲＣ接続またはシステム情報受信）してサービスを受けることとなる。
【００４８】
次に、システム情報（Ｓｙｓｔｅｍ  Ｉｎｆｏｒｍａｔｉｏｎ）について説明する。システム情報は、端末が基地局に接続するために知るべき必須情報を含む。そのため、端末は基地局に接続する前にシステム情報を全て受信していなければならず、その上、常に最新のシステム情報を持っていなければならない。そして、システム情報は、一セル内の全ての端末が知っているべき情報であるから、基地局は周期的にシステム情報を送信する。
【００４９】
システム情報は、ＭＩＢ（Ｍａｓｔｅｒ  Ｉｎｆｏｒｍａｔｉｏｎ  Ｂｌｏｃｋ）、ＳＢ（Ｓｃｈｅｄｕｌｉｎｇ  Ｂｌｏｃｋ）、及びＳＩＢ（Ｓｙｓｔｅｍ  Ｉｎｆｏｒｍａｔｉｏｎ  Ｂｌｏｃｋ）に分けることができる。ＭＩＢは、端末に該当のセルの物理的構成、例えば、帯域幅（Ｂａｎｄｗｉｄｔｈ）などを知らせる。ＳＢは、ＳＩＢの送信情報、例えば、送信周期などを知らせる。ＳＩＢは、互いに関連しているシステム情報の集合体である。例えば、特定ＳＩＢは、周辺のセルの情報のみを含み、他のＳＩＢは、端末が使用する上り無線チャネルの情報のみを含む。
【００５０】
以下、セル選択及びセル再選択過程について説明する。
【００５１】
端末に電源が入ると、端末は適度な品質のセルを選択してサービスを受けるための準備手順を行わなければならない。ＲＲＣ休止状態にある端末は、常に、適度な品質のセルを選択し、該セルを介してサービスを受けるための準備をしていなければならない。例えば、電源が入ったばかりの端末は、ネットワークに登録をするために、適度な品質のセルを選択しなければならない。ＲＲＣ接続状態にあった端末がＲＲＣ休止状態に進入すると、該端末は、ＲＲＣ休止状態で留まるセルを選択しなければならない。このように、端末がＲＲＣ休止状態のようなサービス待機状態で留まっているために、特定条件を満たすセルを選択する過程をセル選択（Ｃｅｌｌ  Ｓｅｌｅｃｔｉｏｎ）という。セル選択は、現在、端末がＲＲＣ休止状態で留まっているセルを決定していない状態で行うことであるから、可能な限り速かにセルを選択することが何より重要である。そのため、一定基準以上の無線信号品質を提供するセルであれば、たとえそのセルが端末に最良の無線信号品質を提供するセルでなくても、端末のセル選択過程で選択されてもよい。
【００５２】
セル選択基準を満たすセルを端末が選択すると、端末は、当該セルのシステム情報から、端末がＲＲＣ休止状態で当該セルに留まる動作に必要な情報を受信する。端末は、ＲＲＣ休止状態での動作に必要な全ての情報を受信した後、ネットワークにサービスを要請したり、ネットワークからサービスを受けるためにＲＲＣ休止状態で待つ。
【００５３】
端末が一応セル選択過程で一セルを選択した後、端末の移動性または無線環境の変化などから、端末と基地局間の信号の強度や品質が変わることがある。そのため、選択したセルの品質が低下すると、端末は、より良い品質を提供する他のセルを選択する場合がある。このようにセルを再び選択する場合は、現在選択されたセルよりも良好な信号品質を提供するセルを選択するのが普通である。このような過程をセル再選択（Ｃｅｌｌ  Ｒｅｓｅｌｅｃｔｉｏｎ）という。セル再選択過程は、無線信号の品質観点で、一般的に端末に最良の品質を提供するセルを選択することに基本的な目的がある。無線信号の品質観点の他、ネットワークは周波数別に優先順位を決めて端末に知らせることもできる。この優先順位を受信した端末は、セル再選択過程においてこの優先順位を無線信号品質基準よりも優先して考慮する。
【００５４】
以下、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）について説明する。ＭＢＭＳは、放送／マルチキャストサービスの一種で、マルチメディアデータパケットを複数の端末に同時に送信するサービスである。本文書で使われている「放送／マルチキャストサービス」、「ＭＢＭＳ」は、「ポイント・ツウ・マルチポイントサービス」、「ＭＢＳ（Ｍｕｌｔｉｃａｓｔ  ａｎｄ  Ｂｒｏａｄｃａｓｔ  Ｓｅｒｖｉｃｅ）」などの他の用語に代えてもよい。ＭＢＭＳは、ＩＰマルチキャストを基盤にしており、端末はデータパケット送信に必要なリソースを共有して同一のマルチメディアデータを受信する。したがって、ＭＢＭＳを用いる一定レベルの端末が同一セルに存在する場合に、リソース効率を上げることができる。ＭＢＭＳはＲＲＣ接続状態と関係がないから、休止状態にある端末も当該サービスを受けることができる。
【００５５】
ＭＢＭＳのための論理チャネルＭＣＣＨ（ＭＢＭＳ  Ｃｏｎｔｒｏｌ  ＣＨａｎｎｅｌ）またはＭＴＣＨ（ＭＢＭＳ  Ｔｒａｆｆｉｃ  Ｃｈａｎｎｅｌ）を伝送チャネルＭＣＨ（ＭＢＭＳ  ＣＨａｎｎｅｌ）にマッピングすることができる。ＭＣＣＨは、ＭＢＭＳ関連共通制御情報を含むＲＲＣメッセージを伝送し、ＭＴＣＨは、特定ＭＢＭＳのトラフィックを伝送する。同一のＭＢＭＳ情報またはトラフィックを送信する一つのＭＢＳＦＮ（ＭＢＭＳ  Ｓｉｎｇｌｅ  Ｆｒｅｑｕｅｎｃｙ  Ｎｅｔｗｏｒｋ）地域ごとに一つのＭＣＣＨがあり、複数のＭＢＳＦＮ地域が一つのセルから提供される場合に、端末は複数のＭＣＣＨを受信することもある。図７に、ＭＣＣＨ情報の伝送方式を示す。
【００５６】
図７を参照すると、特定ＭＣＣＨでＭＢＭＳ関連ＲＲＣメッセージが変更されると、ＰＤＣＣＨは、Ｍ−ＲＮＴＩ（ＭＢＭＳ−Ｒａｄｉｏ  Ｎｅｔｗｏｒｋ  Ｔｅｍｐｏｒａｒｙ  Ｉｄｅｎｔｉｔｙ）、及び特定ＭＣＣＨを指示するＭＣＣＨ指示子を伝送する。ＭＢＭＳを支援する端末は、当該ＰＤＣＣＨを通じてＭ−ＲＮＴＩ及びＭＣＣＨ指示子を受信して、特定ＭＣＣＨでＭＢＭＳ関連ＲＲＣメッセージが変更されたことを把握し、この特定ＭＣＣＨを受信することができる。ＭＣＣＨのＲＲＣメッセージは変更周期ごとに変更可能であり、反復周期ごとに反復的に放送される。
【００５７】
一方、ＭＣＣＨは、現在進行中のＭＢＭＳセッションとこれに対応するＲＢ設定を指示するＭＢＳＦＮＡｒｅａＣｏｎｆｉｇｕｒａｔｉｏｎメッセージを伝送する。また、ＭＣＣＨは、一つ以上のＭＢＭＳを受信したり、受信しようとするＲＲＣ接続状態の端末の個数を集計するためのＭＢＭＳ集計要請（ＭＢＭＳＣｏｕｎｔｉｎｇＲｅｑｕｅｓｔ）メッセージを伝送することもできる。
【００５８】
また、特定ＭＢＭＳ制御情報はＢＣＣＨを通じて提供されてもよい。特に、特定ＭＢＭＳ制御情報は、ＢＣＣＨを通じて放送されるＳｙｓｔｅｍＩｎｆｏｒｍａｔｉｏｎＢｌｏｃｋＴｙｐｅ１３に含まれてもよい。
【００５９】
一方、ＲＲＣ休止状態の端末は、上述したように、セル選択及び／またはセル再選択過程を行って一セルにキャンプ−オン（ｃａｍｐ−ｏｎ）し、キャンプ−オンしたセルでページング信号及びシステム情報をモニタリングする。このとき、端末がＭＢＭＳに興味があると、端末はＲＲＣ休止状態においてもＭＢＭＳを受信することができる。
【００６０】
＜第１の実施例＞
このような従来技術では、休止状態の端末はＭＢＭＳを受信するか否かによらずに、セルの信号品質に基づいてセル選択及び／またはセル再選択過程を行う。そのため、ＭＢＭＳを提供しないセルを選択する場合が発生し、その場合に端末はＭＢＭＳを受信できなくなる。
【００６１】
そこで、本発明は、端末が所望の特定サービス、すなわち、特定ＭＢＭＳを受信しようとする場合や特定サービスに興味がある場合に、端末はネットワークからセル選択またはセル再選択のための周波数の優先順位リストを受信し、特定サービス（特定ＭＢＭＳ）が提供される周波数を把握し、受信した優先順位リストにおいて当該特定サービスが提供される周波数の優先順位を最も高く設定することを特徴とする。一方、この優先順位リストはセルのシステム情報を受信して把握すればよい。また、システム情報から、特定サービスが提供される周波数情報も把握することができる。また、特定サービスを受信しない場合または特定サービスについて興味がなくなった場合に、端末は元来の優先順位リストに復帰することが好ましい。
【００６２】
一方、この方法は、特定サービスが提供される領域に端末が位置する場合に有効であり、もしも特定サービスが提供される領域に端末が位置していない場合は、元来の優先順位リストに基づいてセル選択及びセル再選択過程を行うことが好ましい。
【００６３】
また、本発明では、ネットワークがシステム情報またはＲＲＣ接続解除メッセージを通じて、端末がＲＲＣ休止状態で使用するセル再選択のための周波数優先順位を提供し、ＲＲＣ休止状態の端末は、該周波数優先順位に基づいてセル再選択を行う。
【００６４】
図８は、本発明の実施例に係るセル再選択過程を示すフローチャートである。
【００６５】
図８を参照すると、ステップ８０１で、ＲＲＣ休止状態にある端末は、セル選択またはセル再選択過程を行ってキャンプ−オン（ｃａｍｐ−ｏｎ）するセルを選択する。図８では、周波数Ｆ１に位置している第１のセルを選択したとする。
【００６６】
また、ステップ８０２で、端末は、選択した第１のセルからシステム情報を獲得する。ＭＢＭＳのために、第１のセルは、周波数Ｆ２からＭＢＭＳが提供されていることをシステム情報を用いて放送する。そのため、端末が第１のセルからシステム情報を獲得した場合、端末は、周波数Ｆ２からＭＢＭＳが提供されていることが分かる。さらに、第１のセルは、ＭＢＭＳが提供されている周波数リストを上記システム情報を用いて放送することもできる。
【００６７】
続いて、端末は、ステップ８０３で、ＭＢＭＳを受信することに興味があるか否か確認する。ＭＢＭＳを受信することに興味がある場合、且つ端末が当該ＭＢＭＳが提供される地域に位置するようになった場合に、端末は、ステップ８０４で、ＭＢＭＳが提供される周波数Ｆ２のセル再選択優先順位を、最も高い優先順位に設定する。すなわち、ネットワークから受信したセル再選択優先順位リストにおいて、ＭＢＭＳが提供される周波数Ｆ２を他の周波数の優先順位よりも高く設定する。そのため、周波数Ｆ２の優先順位は、ネットワークから受信したセル再選択のための周波数優先順位とは違い、最も高い優先順位に設定され、他の周波数の優先順位は、ネットワークから受信した値のままに維持される。
【００６８】
したがって、端末は、ステップ８０５で、周波数Ｆ２を最も高い優先順位に設定した状態でセル再選択過程を行う。端末は、一定期間の間に、周波数Ｆ２で動作するセルが特定臨界値よりも高い信号強度／品質を有することが測定されると、周波数Ｆ２で動作するセルに対してセル再選択を行い、周波数Ｆ２で動作するセルのうち、最良の信号強度／品質を有するセルを再選択する。図８では、周波数Ｆ２で動作する第２のセルが再選択されたとする。
【００６９】
続いて、端末は、ステップ８０６で、第２のセルからＭＣＣＨを受信して当該ＭＢＭＳ受信のための制御情報を獲得する。また、獲得した制御情報を用いてＭＴＣＨを設定し、ステップ８０７で、ＭＴＣＨを通じて該ＭＢＭＳのデータを受信する。
【００７０】
図９は、本発明の実施例に係る他のセル再選択過程を示すフローチャートである。
【００７１】
図９を参照すると、ステップ９０１で、ＲＲＣ休止状態の端末は、第２のセルを再選択してＭＢＭＳを受信する。以降、該サービスが終了する場合に、端末は、ステップ９０２においてＭＣＣＨで伝送される制御情報を受信し、ステップ９０３で、当該ＭＢＭＳが終了したことを確認する。
【００７２】
受信しようとするＭＢＭＳが終了した場合、ＭＢＭＳ受信に興味がなくなった場合、またはＭＢＭＳが提供される地域から外れた場合に、端末は、ステップ９０４で、以前にネットワークから受信したセル再選択優先順位に復帰する。すなわち、ＭＢＭＳが提供される周波数Ｆ２を、いずれの周波数の優先順位よりも高く設定したことを取り消し、システム情報またはＲＲＣ接続解除メッセージを通じてネットワークから以前に受信したセル再選択優先順位を再び適用する。そのため、周波数Ｆ２の優先順位は、ネットワークから以前に受信した元来の優先順位に再設定される。
【００７３】
最後に、端末は、ステップ９０５で、ネットワークから以前に受信した元来のセル再選択優先順位に基づいてセル再選択を行う。
【００７４】
したがって、休止モードの端末が特定ＭＢＭＳを受信しようとする場合に、端末は、上記第１の優先順位情報を用いてセル再選択過程を行う。一方、端末が特定ＭＢＭＳに関心がない場合、または第１の優先順位情報に対応する地域から第２の優先順位情報に対応する地域へ移動した場合に、端末は、第２の優先順位情報を用いてセル再選択過程を行う。
【００７５】
以上説明したように、本発明は、セル選択のために周波数の優先順位を指定する端末が、ネットワークから周波数の優先順位リストを受信し、特定サービスが提供される周波数を把握し、受信した優先順位において該特定サービスが提供される周波数の優先順位を最も高く設定することで、ＲＲＣ休止状態で端末が所望の特定サービスを受信できるようにした。
【００７６】
＜第２の実施例＞
従来の技術によれば、一つの周波数優先順位セットが専用シグナリングまたはシステム情報によって端末に提供される。また、端末は、この優先順位セットがネットワークにより取り替えられるまでに、またはＰＬＭＮ選択、ＲＲＣ接続モードへの進入またはタイマー満了などにより優先順位セットが削除されるまでには、該優先順位セットに依存する。
【００７７】
端末をめぐる環境を考慮すると、優先順位セットは変更される必要がある。例えば、端末が所定の周波数上でＭＢＭＳを受信しようとする場合に、端末は、該ＭＢＭＳを提供する周波数を最優先順位にセッティングしようとするはずである。しかし、端末が休止モードにあるため、ネットワークは、端末に保存されている優先順位セットを変更することができない。
【００７８】
そこで、休止モード端末に保存されている優先順位セットを変更するために、本発明の第２の実施例では、ネットワークから複数の周波数優先順位セットを受信するステップ、特定地域または特定サービスを検出すると、複数の優先順位セットのいずれか一つを選択するステップ、及び端末のセル選択またはセル再選択ステップで選択された優先順位セットを適用するステップを含む方法を提案する。
【００７９】
端末は、検出した位置（例えば、セル、ＴＡ、ＰＬＭＮ、または特定ＧＰＳ位置）に基づいたり、（ＭＢＭＳサービスのような）特定サービスを受信しようとするか否か、または（ＣＳＧセルのような）特定セルに留まることを希望するか否かによって、複数の優先順位セットからいずれか一つを選択する。
【００８０】
図１０は、本発明の第２の実施例に係るセル再選択過程を示すフローチャートである。
【００８１】
図１０を参照すると、ステップ１００１で、端末は、キャリア周波数、または互いに異なるＲＡＴの優先順位の２個のセットを、専用シグナリング、ＲＲＣ接続解除メッセージ、またはシステム情報を通じてセルから受信する。
【００８２】
セルはまた、特定優先順位セットが適用されるべき位置、または特定サービスを受信するために特定優先順位セットが適用されるべきサービス領域を、端末に知らせることができる。ここで、位置は、特定セル、特定ＣＳＧ  ＩＤに対応するセル、特定ＭＢＭＳサービスのための特定ＭＢＳＦＮ領域、特定ＰＬＭＮ、特定ＧＰＳ位置、及び該ＧＰＳ位置からの範囲などの少なくとも一つを含むことができる。
【００８３】
端末は、休止モードにある間に、上記位置と２個の優先順位セットを保存する。該位置は、優先順位セットのいずれか一つにのみ対応する。もし、端末が一つの優先順位セット（例えば、セット２）にマッチングされる位置にあると、他の優先順位セット（例えば、セット１）は、端末が当該位置に留まらない時に用いられる。
【００８４】
次に、端末は、ステップ１００２で、上記位置を検出し、ステップ１００３で、セット１及びセット２のいずれか一つを選択する。例えば、端末がセット２にマッチングされる所定位置を検出すると、端末は、ステップ１００４で、優先順位セット２を用いてセル再選択を行う。
【００８５】
これらの優先順位がＬＴＥ周波数に対応するとすれば、端末はＬＴＥ周波数の一つでセルを選択する。もし、これらの優先順位がインター−ＲＡＴ周波数に対応するとすれば、端末は、現在ＲＡＴを変更した後に、インター−ＲＡＴ周波数の一つでセルを選択する。例えば、ＬＴＥセルにキャンプ−オンした端末は、ＵＭＴＳ周波数でセルを再選択し、よって、端末はＲＡＴを変更する。
【００８６】
端末が移動する中に、端末がセット１にマッチングされる所定の位置を検出したり、セット２にマッチングされる位置から外れる場合に、端末は優先順位セット１を用いてセル再選択を行う。これらの優先順位がＬＴＥ周波数に対応するとすれば、端末は他のＬＴＥ周波数でセルを選択する。もし、優先順位がインター−ＲＡＴ周波数に対応するとすれば、端末は、現在ＲＡＴを変更した後、インター−ＲＡＴ周波数の一つでセルを選択する。例えば、ＵＭＴＳセルにキャンプ−オンした端末は、ＬＴＥ周波数でセルを再選択し、よって、端末はＲＡＴを変更する。
【００８７】
また、端末は、専用シグナリング、ＲＲＣ接続解除メッセージまたはシステム情報を通じてセルから一つ以上の有効時間を受信することができる。異なった有効時間は、互いに異なる周波数優先順位に対応する。
【００８８】
端末が有効時間を受信すると、端末はタイマーを起動する。タイマーが有効時間に到達すると、タイマーは満了する。上記周波数優先順位のそれぞれは、互いに異なるタイマーに対応する。端末が、互いに異なる優先順位セットのための一つ以上の有効時間を受信すると、端末は一つ以上のタイマーを起動する。
【００８９】
図１１は、本発明の第２の実施例に係る他のセル再選択過程を示すフローチャートである。
【００９０】
図１１を参照すると、ステップ１１０１で、端末は、キャリア周波数、または互いに異なるＲＡＴの優先順位の２個のセットを、専用シグナリング、ＲＲＣ接続解除メッセージ、またはシステム情報を通じてセルから受信する。該セルはまた、特定優先順位セットを用いて受信できるサービスについて端末に知らせることができる。これらのサービスは、ＭＢＭＳサービスまたはｅｎｔｅｒｐｒｉｓｅ／ｐｒｉｖａｔｅサービスでよい。
【００９１】
端末は休止モードにある間に、上記位置と２個の優先順位セットを保存する。該位置は、優先順位セットのいずれか一つにのみ対応する。もし、端末が一つの優先順位セット（例えば、セット２）にマッチングされるサービスを受信している中であるか、受信しようとする場合に、他の優先順位セット（例えば、セット１）は、該端末が当該サービスを受信中でないか、受信することを希望しない場合に用いられる。
【００９２】
次に、端末は、ステップ１１０２で、サービスまたはサービス領域を検出し、ステップ１１０３で、セット１及びセット２からいずれか一つを選択する。例えば、端末がセット２にマッチングされる所定サービスの送信または通知（ｎｏｔｉｆｉｃａｔｉｏｎ）を検出したとすれば、端末は、ステップ１００４で、優先順位セット２を用いてセル再選択を行う。これらの優先順位がＬＴＥ周波数に対応するとすれば、端末は、ＬＴＥ周波数の一つでセルを選択する。もし、これらの優先順位がインター−ＲＡＴ周波数に対応するとすれば、端末は、現在ＲＡＴを変更した後、インター−ＲＡＴ周波数の一つでセルを選択する。例えば、ＬＴＥセルにキャンプ−オンした端末は、ＵＭＴＳ周波数でセルを再選択し、よって、端末はＲＡＴを変更する。
【００９３】
また、ステップ１１０５のように、端末が特定サービスの消滅または特定サービス領域の離脱を検出すると、端末は、ステップ１１０６でセット１及びセット２のいずれか一つを選択する。例えば、端末がセット１にマッチングされる他のサービスの送信または通知（ｎｏｔｉｆｉｃａｔｉｏｎ）を検出したとすれば、端末は、ステップ１００７で、優先順位セット１を用いてセル再選択を行う。これらの優先順位がＬＴＥ周波数に対応するとすれば、端末は、他のＬＴＥ周波数でセルを選択する。もし、これらの優先順位がインター−ＲＡＴ周波数に対応するとすれば、端末は、現在ＲＡＴを変更した後、インター−ＲＡＴ周波数のいずれか一つでセルを選択する。例えば、ＵＭＴＳセルにキャンプ−オンした端末はＬＴＥ周波数でセルを再選択し、よって、端末はＲＡＴを変更する。
【００９４】
一例として、所定セルで特定ＭＢＭＳサービスの送信または通知を検出したとき、端末がＭＢＭＳサービスを受信中であるか、受信しようとする場合に、端末は優先順位セット２を使用しなければならない。一方、端末が特定サービスに関心がないか、セルで特定サービスが可能でないことを検出した場合は、端末は優先順位セット１を使用しなければならない。
【００９５】
また、端末は、専用シグナリング、ＲＲＣ接続解除メッセージまたはシステム情報を通じてセルから一つ以上の有効時間を受信することができる。異なった有効時間は、互いに異なる周波数優先順位に対応する。
【００９６】
端末が有効時間を受信すると、端末はタイマーを起動する。タイマーが有効時間に到達すると、タイマーは満了する。周波数優先順位のそれぞれは、互いに異なるタイマーに対応する。端末は、互いに異なる優先順位セットのための一つ以上の有効時間を受信すると、一つ以上のタイマーを起動する。
【００９７】
図１２は、本発明の一実施例に係る通信装置の構成を示すブロック図である。
【００９８】
図１２を参照すると、通信装置１２００は、プロセッサ１２１０、メモリー１２２０、ＲＦモジュール１２３０、ディスプレイモジュール１２４０、及びユーザーインターフェースモジュール１２５０を備える。
【００９９】
通信装置１２００は説明の便宜のための一例であり、一部のモジュールは省略されてもよく、必要なモジュールをさらに備えてもよい。また、通信装置１２００において一部のモジュールはより細分化したモジュールにしてもよい。プロセッサ１２１０は、図面を参照して例示した本発明の実施例に係る動作を行うように構成される。具体的に、プロセッサ１２１０の詳細な動作は、図１乃至図１１に記載された内容を参照するとよい。
【０１００】
メモリー１２２０は、プロセッサ１２１０に接続し、オペレーティングシステム、アプリケーション、プログラムコード、データなどを格納する。ＲＦモジュール１２３０は、プロセッサ１２１０に接続し、基底帯域信号を無線信号に変換したり無線信号を基底帯域信号に変換したりする機能を果たす。そのために、ＲＦモジュール１２３０は、アナログ変換、増幅、フィルタリング及び周波数アップ変換、またはこれらの逆過程を行う。ディスプレイモジュール１２４０は、プロセッサ１２１０に接続し、様々な情報をディスプレイする。ディスプレイモジュール１２４０は、これに制限されるものではないが、ＬＣＤ（Ｌｉｑｕｉｄ  Ｃｒｙｓｔａｌ  Ｄｉｓｐｌａｙ）、ＬＥＤ（Ｌｉｇｈｔ  Ｅｍｉｔｔｉｎｇ  Ｄｉｏｄｅ）、ＯＬＥＤ（Ｏｒｇａｎｉｃ  Ｌｉｇｈｔ  Ｅｍｉｔｔｉｎｇ  Ｄｉｏｄｅ）のような周知の要素を用いることができる。ユーザーインターフェースモジュール１２５０は、プロセッサ１２１０に接続し、キーパッド、タッチスクリーンなどのような周知のユーザーインターフェースの組み合わせで構成することができる。
【０１０１】
以上説明してきた実施例は、本発明の構成要素及び特徴を所定形態に結合したものである。各構成要素または特徴は、別の明示的な言及がない限り、選択的なものとして考慮しなければならない。各構成要素または特徴は、他の構成要素や特徴と結合しない形態で実施することもでき、一部の構成要素及び／または特徴を結合して本発明の実施例を構成することもできる。本発明の実施例で説明される動作の順序は変更可能である。ある実施例の一部構成や特徴は、別の実施例に含まれることもでき、別の実施例の対応する構成または特徴に取って代わることもできる。特許請求の範囲において明示的な引用関係にない請求項を結合して実施例を構成したり、出願後の補正により新しい請求項として含めたりできるということは明らかである。
【０１０２】
本発明に係る実施例は、様々な手段、例えば、ハードウェア、ファームウェア（ｆｉｒｍｗａｒｅ）、ソフトウェアまたはそれらの結合などにより具現することができる。ハードウェアによる具現では、本発明の一実施例は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより具現されてもよい。
【０１０３】
ファームウェアやソフトウェアによる具現では、本発明の一実施例は、以上で説明された機能または動作を行うモジュール、手順、関数などの形態で具現されてもよい。ソフトウェアコードは、メモリーユニットに記憶され、プロセッサにより駆動可能である。メモリーユニットは、プロセッサの内部または外部に設けられて、公知の様々な手段によりプロセッサとデータを交換することができる。
【０１０４】
本発明は、本発明の特徴を逸脱しない範囲で別の特定の形態に具体化可能であるということは、当業者にとっては自明である。したがって、上記の詳細な説明は、いずれの面においても制限的に解釈してはならず、例示的なものとして考慮しなければならない。本発明の範囲は、添付の請求項の合理的な解釈により決定すべきであり、本発明の等価的範囲内における変更はいずれも本発明の範囲に含まれる。
【産業上の利用可能性】
【０１０５】
上述のような無線通信システムにおいて端末がサービスを受ける方法及びそのための装置は、３ＧＰＰ  ＬＴＥシステムに適用される例を中心に説明したが、３ＧＰＰ  ＬＴＥシステムの他にも様々な無線通信システムに適用することが可能である。
【図１】
0005503806.tif 000002
【図２】
0005503806.tif 000003
【図３】
0005503806.tif 000004
【図４】
0005503806.tif 000005
【図５】
0005503806.tif 000006
【図６】
0005503806.tif 000007
【図７】
0005503806.tif 000008
【図８】
0005503806.tif 000009
【図９】
0005503806.tif 000010
【図１０】
0005503806.tif 000011
【図１１】
0005503806.tif 000012
【図１２】
0005503806.tif 000013